(57)【特許請求の範囲】
【請求項１】
中央プロセッサ（１０４）から通信ベースステーション（１２６）を介して価格情報を受信して商品価格情報を表示する電子価格ラベル（２００）であって、
価格情報を記憶するメモリ（２１４）と、
前記通信ベースステーションを介して前記価格情報を受信するインターフェース（２０４）と、
前記価格情報を表示するディスプレイ（２１０）と、
当該電子価格ラベルを制御するプロセッサ手段（２０２）と、
当該電子価格ラベルを構成するコンポーネントへ検査信号を供給しその結果を前記プロセッサ手段（２０２）が受信する自己診断のための診断ソフトウェア（２０３）と、を備え、
前記電子価格ラベルの自己診断は周期的に実行されるものであって、
前記プロセッサ手段は、前記自己診断ソフトウェアから前記診断の結果を受信し前記コンポーネントの欠陥を判定し、欠陥に係る電子コンポーネントの故障を電子価格ラベルにおいて警報するように動作する、ことを特徴とする電子価格ラベル。
【請求項２】
前記警報は、可聴及び可視の警報を含む、請求項１に記載の電子価格ラベル。
【請求項３】
前記コンポーネントはバッテリー含む請求項１又は２に記載の電子価格ラベル。
【請求項４】
前記インターフェースは、前記通信ベースステーションと交信するための無線の送信器及び受信機を含み、当該電子価格ラベルのステータスを前記中央プロセッサ宛に伝送する、請求項１乃至３の何れか一項に記載の電子価格ラベル。
【請求項５】
当該電子価格ラベルが正常に動作していることを示す信号を周期的に伝送する、請求項４に記載の電子価格ラベル。
【発明の詳細な説明】
【０００１】
【発明の属する技術分野】
本発明は、全般的には、電子価格ラベル又は電子価格表示に関し、特に、電子価格ラベルにおける欠陥の自動自己診断の方法に関する。
【０００２】
【従来の技術】
電子価格ラベルは小売業において数多くの長所を提供すると共に評判も益々高まっている。電子価格ラベルは紙による棚ラベル（ペーパ・シェルフ・ラベル）に代わる優れた代替物を提供すると共に、そのラベルの近辺で且つ購入に応じられるように棚上に適切に配置された洗剤等のサイズ及びブランド名等の製品分類に対する価格設定及び他の情報を表示する。固定された価格を表示すると共に製品の価格が変化する度に個々に変更しなければならないペーパ・ラベルとは対照的に、電子価格ラベルは中央データベースから（電話）線或は無線信号を介して価格情報を受信できる。電子価格ラベルは更新が容易である。価格変更が望まれる度に、更新された価格情報が小売り施設における影響を受ける価格ラベルのそれぞれへ伝送され得る。時間及び労力による相当なコストをかけて個々に変更或は交換をしなければならないペーパ・ラベルの変更と比べて、これは非常により高速であり且つより便利である。
【０００３】
電子価格ラベルはペーパ・ラベルよりも融通性があり且つ容易に更新される一方で、多くの機械的及び電気的な装置類に共通する短所を共有しているので、これら電子価格ラベルは欠陥及び破損を被る。故障した電子価格ラベルは間違った価格情報を提供したり、或は、価格情報を全く提供しない可能性があり、もし警報を発すること無しにその電子価格ラベルが故障すれば、無期限な時間にわたって故障状態で継続し得る。もし価格ラベルが警報を発すること無しに故障して、そのラベルが故障状態で存続することを防止したければ、各種リソースを各ラベルの周期的なチェックの実行に充てる必要がある。夥しい数のラベルを用いている施設では、相対的に頻繁にチェックを実行する必要性があり、理由としては、使用中のラベルのそうした夥しい数が、少なくとも１つのラベルが故障してしまう可能性をより高くしているからである。電子装置類における故障は予見することが難しいために、自動的な診断或は警報の機構がない場合、各検査毎に各ラベルを検査することが適切となる。
【０００４】
【発明が解決しようとする課題】
それ故に当業界では、欠陥を自動的に検出して報告することができる自己診断電子価格ラベルの必要性がある。
【０００５】
【課題を解決するために手段】
本発明に従った電子価格ラベルは欠陥に対する周期的な自己診断を実行し、検出された欠陥を可視表示或は可聴音を介して報告するか、若しくは代替的に中央報告システムへ報告するものである。正常動作中、この電子価格ラベルは「正常動作」信号を周期的に発する。もし中央報告システムが所定の時間間隔中にその「正常動作」信号を検出しなければ、その電子価格ラベルは欠陥があると推定されて、調査が実行される。この電子価格ラベルは、当該電子価格ラベルに対する正常動作を制御すると共に、周期的な間隔で診断プログラムを走らせる（又はランさせる）プロセッサを含む。その診断プログラムの制御下にあるプロセッサは電子価格ラベルの各コンポーネントを動作させて、それらコンポーネントからの応答を受信する。次いでプロセッサは受信したそれら応答を欠陥特性と比較して、欠陥特性に符合する応答を故障として報告する。
【０００６】
本発明は、中央プロセッサから通信ベースステーションを介して価格情報を受信して商品価格情報を表示する電子価格ラベルであって、価格情報を記憶するメモリと、前記通信ベースステーションを介して前記価格情報を受信するインターフェースと、前記価格情報を表示するディスプレイと、当該電子価格ラベルを制御するプロセッサ手段と、当該電子価格ラベルを構成するコンポーネントへ検査信号を供給しその結果を前記プロセッサ手段が受信する、自己診断のための診断ソフトウェアと、を備え、前記電子価格ラベルの自己診断は周期的に実行されるものであって、前記プロセッサ手段は、前記自己診断ソフトウェアから前記診断の結果を受信し前記コンポーネントの欠陥を判定し、欠陥に係る電子コンポーネントの故障を電子価格ラベルにおいて警報するように動作する、ことを特徴とする電子価格ラベルを提供するものである。
【００１０】
【発明の実施の形態】
図１は、本発明に係る小売価格表示システム１００を示しており、ここではグループ１０２Ａ乃至１０２Ｄで示された複数の自己診断電子価格ラベル又は自己診断電子価格表示を含んでいる。このシステム１００は、好ましくは固定ディスク・ドライブである記憶システム１０６にアクセスする中央プロセッサ１０４を含む。記憶システム１０６は、電子価格ラベル（ＥＰＬ）のデータファイル１０８、システム・コンフィギュレーション・ファイル１１０、並びに、欠陥データファイル１１２等の１つ或はそれ以上のデータベースを維持している。電子価格ラベル・データファイル１０８は、製品情報、識別情報、製品価格ベリファイヤ（ｖｅｒｉｆｉｅｒ）情報、並びに、グループ１０２Ａ乃至１０２Ｄにおける電子価格ラベル各々に対するステータス情報を含む。中央プロセッサ１０４は電子価格ラベル制御ソフトウェア１１６及び価格表示システム診断ソフトウェア１１８を実行する。診断ソフトウェア１１８は故障（又は欠陥）を求めて価格表示システム１００をモニタ（監視）し、故障の報告を管理する。制御ソフトウェア１１６はデータ・スケジューラ１２２及び通信ベースステーション（ＣＢＳ）・マネージャー１２４を含む。
【００１１】
通信ベースステーション・マネージャー１２４の制御下、中央プロセッサ１０４はここでは第１乃至第４ＣＢＳ１２６Ａ，１２６Ｂ，１２６Ｃ，１２６Ｄとして示される複数の通信ベースステーション（ＣＢＳ）と通信する。ＣＢＳ１２６Ａ乃至１２６Ｄはグループ１０２Ａ乃至１０２Ｄの電子価格ラベルとの通信インターフェースを提供している。第１ＣＢＳ１２６Ａ及び第２ＣＢＳ１２６Ｂは第１ＣＢＳ電源１２８Ａから電力を受けている一方、第３ＣＢＳ１２６Ｃ及び第４ＣＢＳ１２６Ｄは第２ＣＢＳ電源１２８Ｂから電力を受けている。第１ＣＢＳ１２６Ａ乃至第４ＣＢＳ１２６Ｄはグループ１０２Ａ乃至１０２Ｄの複数の電子価格ラベルとそれぞれ通信する。
【００１２】
ＣＢＳ１２６Ａの内部詳細が示されている。説明の簡略化のために、ＣＢＳ１２６Ｂ乃至１２６Ｄの内部詳細は示されていないが、ＣＢＳ１２６Ｂ乃至１２６ＤはＣＢＳ１２６Ａのものと同様の内部詳細を有する。
【００１３】
ＣＢＳ１２６Ａは、記憶装置１３４にアクセスするための内部制御回路１３２を含む。記憶装置１３４は電子価格ラベルへ送信（又は伝送）されると共に、ＣＢＳ１２６Ａの動作に使用されるデータ及び指示を含む。ＣＢＳ１２６Ａは送信アンテナ１３６及び４つまでの受信アンテナ１３８を含む。受信アンテナ１３８によって受信される信号のより良好な処理を可能とするために、ＣＢＳ１２６Ａは低ノイズ増幅器（ＬＮＡ）１４０を含む。この低ノイズ増幅器１４０は受信アンテナ１３８によって受信された各信号を増幅し、その信号をＣＢＳ制御回路１３２へ進める。信号が受信されると、制御回路１３２はその信号を解釈し、その信号によって表現される情報を中央プロセッサ１０４へ進める。
【００１４】
好ましくは、ＣＢＳ１２６ＡはマスタＣＢＳであり、ＣＢＳ１２６Ｂ乃至１２６ＤはスレーブＣＢＳである。よって、ＣＢＳ１２６Ａは中央プロセッサ１０４と通信して、該プロセッサ１０４から受信されるコマンドに基づいてＣＢＳ１２６Ｂ乃至１２６Ｄの動作を制御する。ＣＢＳ１２６Ａ乃至１２６Ｄの内の何れをもマスタとして指定され得て、その他のものをスレーブとすることができる。中央プロセッサ１０４は、ＣＢＳ１２６Ａ及びＣＢＳ１２６Ｃとそれぞれ通信するシリアルポート１４１Ａ及び１４１Ｂを含む。ＣＢＳ１２６Ａは第１ケーブル１４２Ａによってシリアルポート１４１Ａに接続され、ＣＢＳ１２６Ｃは第２ケーブル１４２Ｂによってシリアルポート１４１Ｂに接続されている。ＣＢＳ１２６Ａ乃至１２６Ｄはケーブル１４３Ａ−１４３Ｃによって順次接続されている。
【００１５】
ＣＢＳ１２６Ａ乃至１２６Ｄの各々は、中央プロセッサ１０４によって発せられる指示に基づいてその割り当てられた電子価格ラベルの動作を制御する。各ＣＢＳは価格変化及び他のコマンドをその電子価格ラベルへ送信し、その電子価格ラベルからステータス・メッセージを受信する。
【００１６】
価格表示システム１００は、中央プロセッサ１０４でステータス要求を生成して、そのステータス要求を当該システム１００内の、ＣＢＳ１２６Ａ乃至１２６Ｄとグループ１０２Ａ乃至１０２Ｄにおける電子価格ラベルとを含む様々なコンポーネントへ伝送することによって、それら様々なコンポーネントについて欠陥検出を行う。ステータス要求に対する故障応答がコンポーネントから受信されると、中央プロセッサはその故障をログして、その情報を通信システム１４６を介して支援システム１４４へ伝送する。中央プロセッサ１０４は、ノイズ・メーカー１４８を通じての可聴警報と中央ディスプレイ１５０を通じての可視警報との提供をも為し得ると共に、プリンタ１５２を用いて欠陥或は他のステータス情報の印刷をも為し得る。
【００１７】
表示システム１００における最も多いコンポーネントは電子価格ラベル１０２Ａ乃至１０２Ｄから成るグループである。典型的な店舗オペレーションにおいて、何千もの電子価格ラベルが利用され得る。よって、本発明に従ったグループ１０２Ａ乃至１０２Ｄにおける電子価格ラベルは有益にも自己診断特徴を有する。これら電子価格ラベルは自己診断を行って、ステータス要求を待機すること無しに警報を提供することができる。
【００１８】
図２は、本発明に従った自己診断電子価格ラベル２００を図示しており、図１のグループ１０２Ａ乃至１０２Ｄにおける電子価格ラベルの１つとしての使用に適合している。この電子価格ラベル２００は、ディジタル信号プロセッサとして適切に具現化され得るラベル・プロセッサ２０２と、通信ベースステーション１１４Ａ等の通信ベースステーションと通信する通信インターフェース２０４とを含む。通信インターフェース２０４は送信器２０６Ａ及び受信器２０６Ｂをアンテナ２０７と共に含む。電子価格ラベル２００は、バッテリー２０８及びディスプレイ２１０を含む他の様々な電子コンポーネントを含む。更に電子価格ラベル２００は、指示及び他のデータの永久記憶のための読み出し専用メモリ２１２を、頻繁には変わらないデータ記憶のためのフラッシュ・メモリ２１４等の書込み可能メモリと共に含む。電子価格ラベル２００は幾つかの異なるデータ・アイテムを、フラッシュ・メモリ２１４の一部であることが可能なメモリ・レジスタ２１４Ａ乃至２１４Ｄに適切に記憶し得る。これらメモリ・レジスタ２１４Ａ乃至２１４Ｄはコンテンツと共にその適正な動作について検査される。押しボタン２１５が設けられ、それによって顧客はプロセッサ２０２にディスプレイに供するためのレジスタ２１４Ａ乃至２１４Ｄの内の任意の１つのコンテンツを選択するように指図し得る。押しボタン２１５の繰り返し押圧は、異なるレジスタ２１４Ａ乃至２１４Ｄ間での循環である。電子価格ラベル２００は揮発性メモリ２１６をも含む。この揮発性メモリ２１６は、電子価格ラベル２００の正常動作を実行する際の短期データ記憶用に使用される。
【００１９】
プロセッサ２０２は、図１のプロセッサ１０４等の中央プロセッサからのステータス要求に応じて動作を実行する。こうしたステータス要求は通信インターフェース２０４を通じて通信ベースステーションから受信される。ステータス要求が受信されると、プロセッサ２０２はそのステータス要求によって指図される動作を実行し、応答情報を通信ベースステーションへ戻す。通信ベースステーションはその応答情報を中央プロセッサ１０４へ戻す。
【００２０】
ステータス要求への応答に加えて、電子価格ラベル２００は自動化され且つ要求されていない自己診断を実行する。電子価格ラベル２００に対する自動化された欠陥検出を為すために、プロセッサ２０２は内部的な電子価格ラベル診断ソフトウェア２０３を実行する。その診断ソフトウェア２０３の制御で、プロセッサ２０２は自己診断を為し、その電子価格ラベル２００内の他の電子コンポーネントへ検査信号を供給することも為す。検査信号を受信するに及んで、電子コンポーネントは信号をプロセッサ２０２へ戻す。プロセッサ２０２は信号を受信すると、それら信号を分析し、それらが欠陥を反映しているかを判定する。欠陥を識別するに及んで、プロセッサ２０２はディスプレイ２０８に欠陥状態を報告するように命令すると共に、送信器２０６Ａに欠陥を報告するように指図する。低バッテリー或は切れたバッテリー等の幾つかの欠陥は、電子価格ラベル全体というよりも特定コンポーネントの交換が要求する。もし押しボタン２１６がつかえれば、それを解放するために該押しボタン２１６を押圧することだけが必要となり得る。それ故にプロセッサ２０２は欠陥絶縁を充分に実行して、その欠陥が交換可能なコンポーネントに存するか、或は、その欠陥が容易に矯正可能な状態を示すものかを識別し、そしてもしそうであれば、その影響を受けたコンポーネントを識別する。ひとたび欠陥が識別されて、もし適切であれば絶縁された場合、プロセッサ２０２は所望に応じてディスプレイ２１０及び送信器２０６Ａを用いてその欠陥を報告する。
【００２１】
もし送信器２０６Ａが完全に故障すれば、その欠陥を直に報告することができなくなる。この理由のため、プロセッサ２０２は有益にも中央プロセッサ１０４へ正常動作を示す周期的信号を送るようにプログラムされ得る。これら信号の欠如は、次いで調査され得る欠陥状態を示すことになる。こうして、送信器２０６Ａの故障は過度の遅延無しに検出可能である。
【００２２】
電子価格ラベル２００の検査が実行されるようとすると、プロセッサ２０２は適切な動作に関する自己検査を先ず実行する。次いでプロセッサ２０２は低バッテリー状態に関してバッテリー２０８を検査し、正しい動作に関してディスプレイ２１０を検査し、適切な動作に関してメモリ２１２，２１４，２１６を検査し、そして、適切な動作に関して送信器２０６Ａ及び受信器２０６Ｂを検査する。またプロセッサ２０２は適切な動作と正しいコンテンツとに関してメモリ・レジスタ２１４Ａ乃至２１４Ｄを検査する。もしその検査が欠陥を検出し、送信器２０６Ａがその欠陥を報告すべく充分に動作するのであれば、プロセッサ２０２は送信器２０６Ａにその欠陥を中央プロセッサ１０４へ報告するように命令する。プロセッサ２０２はディスプレイ２１０にその欠陥状態を表示するようにも指図すると共に正常動作信号の伝送を停止するようにも指図する。
【００２３】
コスト及び複雑性を低減するために、電子価格ラベル２００を受動装置として設計することが望ましいかもしれない。この場合、送信器２０６Ａは装備されなくなり、電子価格ラベル２００はステータス報告及び他のメッセージを中央プロセッサ１０４へ独立して送信することがなくなるが、その代わりに、中央プロセッサ１０４からのステータス要求に応じて信号を伝送するだけとなる。この場合、電子価格ラベル２００は正常動作信号を中央プロセッサ１０４へ送信することがなく、ステータス要求の欠如で故障信号を伝送することがなくなる。検査故障の場合、電子価格ラベル２００はローカルな可視且つ可聴エラー・メッセージを表示して、修復の必要性を示す。
【００２４】
図３は本発明に従った電子価格ラベル３００をより詳細に図示し、その電子価格ラベル３００がグループ１０２Ａ乃至１０２Ｄにおける電子価格ラベルの内の１つとして適切に利用され得る。電子価格ラベル３００は制御回路３０２を含み、それが単一の集積回路として適切に具現化され得る。制御回路３０２は、ＥＰＬプロセッサ３０４、メモリ３０６、揮発性メモリ３０８、通信インターフェース３１０、オーディオ・シンセサイザ３１２、タイマ／カウンタ回路３１４、ＬＣＤ（液晶ディスプレイ）コントローラ／ドライバ３１６、バッテリー低検出器３１８、並びに、ここでは第１ポート３２０Ａ及び第２ポート３２０Ｂとして示された複数の入出力ポートを含む。また電子価格ラベル３００は、バッテリー３２２、オーディオ増幅器３２４、押しボタン３２６、ＬＣＤディスプレイ３２８、無線周波数（ＲＦ）ダイオード・変調器３３０、並びに、アンテナ３３２をも含む。
【００２５】
電子価格ラベル３００はアンテナ３３２によって図１の中央プロセッサ１０４等の中央プロセッサから信号を受信する。アンテナ３３２からの信号は無線周波数ダイオード・変調器３３０によって処理され、制御回路３０２へ進められる。制御回路３０２内の通信インターフェース３１０はその信号を解釈し処理して送信データを獲得し、そのデータをＥＰＬプロセッサ３０４へ進める。
【００２６】
中央プロセッサからのデータ受信に加えて、電子価格ラベル３００はステータス情報及び他の情報等のデータをも図１の中央プロセッサ１０４等の中央プロセッサへ提供する。ＥＰＬプロセッサ３０４は通信インターフェース３１０へのデータを中継して、該通信インターフェースが次いでダイオード・変調器３３０へ中継され、そして該ダイオード・変調器からアンテナ３３２へ向かう信号を作り出し、該アンテナ３３２がその信号を中央プロセッサ１０４へ送信する。
【００２７】
電子価格ラベル３００は中央プロセッサ１０４からステータス要求を周期的に受信し得る。電子価格ラベル３００がステータス要求を受信すると、該電子価格ラベル３００はそのステータス要求で指図されるような機能を実行し、結果としての信号を中央プロセッサへ戻す。次いで中央プロセッサ１０４はその受信された信号を解釈し、電子価格ラベル３００の機能性と欠陥の存在とを判定する。もし応答が中央プロセッサ１０４で受信されなければ、その応答欠如が、電子価格ラベルが試験されるべきか或は交換されるべきかの指標としての役割を果たす。
【００２８】
ステータス要求に対する応答に加えて、電子価格ラベル３００は周期的な自己診断を実行し、ＥＰＬプロセッサ３０４は当該電子価格ラベル３００内の制御回路３０２及び他のコンポーネントに対して自己検査を周期的に走らせる。その自己検査の一部として、ＥＰＬプロセッサ３０４は中央プロセッサ１０４から予想されるメモリ・コンテンツを受信して、揮発性メモリのコンテンツを中央プロセッサ１０４から受信されたデータと比較することによって揮発性メモリ３０８のコンテンツをベリファイする（正しいかどうか確かめる）。
【００２９】
通常の状況において、故障はＬＣＤディスプレイ３２８上に表示されて、通信インターフェース３１０を用いて中央プロセッサへ中継される。しかしながらある種の場合、故障は電子価格ラベル３００が故障を報告することをディスエーブルすることになる（不可能とする）。これは、例えば制御回路３０２の全体的な故障或は中央プロセッサへの通信に用いられるコンポーネントの故障の際に発生する。もし中央プロセッサ１０４が電子価格ラベル３００へステータス要求を送信すれば、ステータス要求に応答する電子価格ラベル３００の故障は故障の指示を提供する。しかしながら、もし電子価格ラベルへのステータス要求の送信が望まれなければ、電子価格ラベル３００は正常動作を示す信号を中央プロセッサへ周期的に伝送するようにプログラムされ得る。もし通信を妨げる故障が生ずれば、この信号は受信されなくなって、中央プロセッサに電子価格ラベルが調査されるべきとの警報が出される。加えて制御回路３０２はディスプレイ３２８にコンポーネントが自己検査を失敗すれば常にエラー・メッセージを表示するように命令する。これは電子価格ラベル３００に欠陥を報告させることを可能とするものであり、それは中央プロセッサとの通信がディスエーブルと為されたときでさえ比較的に容易に検出する方法で欠陥を報告させることを可能とする。
【００３０】
コスト及び複雑性を低減するために、電子価格ラベル３００を受動装置として設計することが望ましいかもしれない。この場合、電子価格ラベルは中央プロセッサ１０４へステータス報告及び他のメッセージを独立して伝送することがないが、その代わりに中央プロセッサからのステータス要求に応じて信号を送信することだけを為す。この場合、電子価格ラベル３００は正常動作信号を中央プロセッサ１０４へ送信することがなく、ステータス要求の欠如で故障信号を伝送することがなくなる。検査故障の場合、電子価格ラベル３００はローカルな可視且つ可聴エラー・メッセージを表示して、修復の必要性を示す。
【００３１】
図４は、本発明に従った自己診断電子価格ラベルを利用している小売り価格表示システムの動作方法４００を図示している。ステップ４０２で、中央プロセッサは価格付け情報を複数の電子価格ラベルへ通信する。電子価格ラベルは好適には図１のグループ１０２Ａ乃至１０２Ｄの電子価格ラベルと同様であり得て、中央プロセッサは図１のプロセッサ１０４と同様であり得る。通信は図１のベースステーション１２６Ａ乃至１２６Ｄ等の通信ベースステーションを通じて同様に行われ得る。ステップ４０４でプロセッサはステータス要求を電子価格ラベルの１つ或はそれ以上のものへ送信する。ステップ４０６でプロセッサはそのステータス要求に応じて応答信号を受信する。ステップ４０８でプロセッサはそうした応答信号を評価して、それら信号が欠陥を示すかを判定すると共に、検出された欠陥のアイデンティティ（出処元）を判定する。ステップ４１０でプロセッサは欠陥情報を支援システムへ通信する。次にステップ４１２で、電子価格ラベルの内の１つ或はそれ以上のローカル・プロセッサは、電子価格ラベルに対する自己診断を実行する。ローカル・プロセッサは検査中の電子価格ラベルの各コンポーネントへ検査信号を送信して、それらコンポーネントから戻り信号を受信する。ステップ４１４で、それら戻り信号がローカル・プロセッサで分析され、欠陥が示されているかを判定し、更に、検出された欠陥のアイデンティティを判定する。最後にステップ４１６で、ローカル・プロセッサは可視且つ可聴の故障警報を提供すると共に、欠陥情報を中央プロセッサへ伝送し、次いで該中央プロセッサが支援システムへその欠陥情報を報告する。
【００３２】
図５は、グループ１０２Ａ乃至１０２Ｄにおける電子価格ラベル等の電子価格ラベルに対して実行され得る模範的な検査を含むテーブル５００を示している。これら検査は低バッテリー検査５０２、つかえボタン検査５０４、チェックサム検査５０６、ＬＣＤガラス検査５０８、並びに、回路検査５１２を含む。
【００３３】
図６は、グループ１０２Ａ乃至１０２Ｄにおける電子価格ラベル等の自己診断電子価格ラベルを自己診断することによってモニタ及び報告が為され得る模範的な欠陥６０２−６１０を含むテーブル６００を示している。これら欠陥は、低バッテリー６０２、つかえボタン６０４、正しくない価格データ６０６、破損ＬＣＤガラス６０８、並びに、欠陥電子価格ラベル回路６０１０を含む。
【００３４】
本発明は現行での好適実施例に関連して開示されているが、広範な様々な具現化例が当業者には利用され得ることがご理解頂けるであろう。
【図面の簡単な説明】
【図１】本発明に従った自己診断電子価格ラベルを利用している小売り価格表示システムを示すブロック線図である。
【図２】本発明に従った自己診断電子価格ラベルの詳細を示すブロック線図である。
【図３】本発明に従った自己診断電子価格ラベルの追加的な詳細を示すブロック線図である。
【図４】本発明に従った電子価格ラベルを利用している小売り価格表示システムに対する動作の方法を示すブロック線図である。
【図５】本発明に従った自己診断電子ラベルによって実行される検査内容を示す。
【図６】本発明に従った自己診断電子ラベルによって診断された欠陥を示す。
【符号の説明】
１００    小売り価格表示システム
１０２Ａ−１０２Ｄ，２００，３００    自己診断電子価格ラベル
１０４    中央プロセッサ
１０６    記憶システム
１２６Ａ，１２６Ｂ，１２６Ｃ，１２６Ｄ    ＣＢＳ（通信ベースステーション）
１２８Ａ，１２８Ｂ    ＣＢＳ電源
１４４    支援システム
１４６    通信システム
１４８    ノイズ・メーカー
１５０    ディスプレイ
１５２    プリンタ
【図１】
0004919443.tif 000002
【図２】
0004919443.tif 000003
【図３】
0004919443.tif 000004
【図４】
0004919443.tif 000005
【図５】
0004919443.tif 000006
【図６】
0004919443.tif 000007